Podtech/llm-jp-corpus-v4-ja_patent huggingface dataset:
【手続補正書】
【提出日】平成24年2月14日(2012.2.14)
【手続補正１】
【補正対象書類名】特許請求の範囲
【補正対象項目名】全文
【補正方法】変更
【補正の内容】
【特許請求の範囲】
【請求項１】
識別されるように構成されたタグまたは物体を識別する読み取り装置であって、
前記識別されるように構成されたタグまたは物体内に配置された第１の識別特徴セットを読み取る、磁気光学読み取り素子である第１の読み取り素子と、
前記識別されるように構成されたタグまたは物体内に配置された第２の識別特徴セットを読み取る第２の読み取り素子と
を備え、
前記読み取り素子は、前記第１の識別特徴セットの読み取りから生成される第１の信号および前記第２の識別特徴セットの読み取りから生成される第２の信号が、独立して使用されて、前記タグまたは物体を識別する第１の署名および第２の署名が導出されるように構成される、読み取り装置。
【請求項２】
前記磁気光学読み取りに使用される光は、前記磁気光学読み取り素子内部で内部反射する、請求項１に記載の読み取り装置。
【請求項３】
前記磁気光学読み取り素子は、少なくとも１つの光学処理ユニットおよび少なくとも１つの磁気光学基板を備える、請求項１に記載の読み取り装置。
【請求項４】
前記少なくとも１つの光学処理ユニットは複数の構成要素を備え、前記構成要素は、少なくとも１つの光学検出器、少なくとも１枚のレンズ、少なくとも１つの偏光子、少なくとも１つの光源を含むかまたは、前記磁気光学基板は、前記識別されるように構成されたタグまたは物体上の識別特徴および／または位置合わせマークを光学的に直接読み取るための少なくとも１つの開口部を備える、請求項３に記載の読み取り装置。
【請求項５】
前記磁気光学基板は層構成を備え、前記層構成は、光学的に透明な基板、第１の被膜層、および第２の被膜層を含む、請求項３に記載の読み取り装置。
【請求項６】
前記第１の被膜層は１つまたは複数の磁気光学膜である、請求項５に記載の読み取り装置。
【請求項７】
前記第２の被膜層は反射膜である、請求項５または６に記載の読み取り装置。
【請求項８】
前記磁気光学基板は保護層をさらに備える、請求項５〜７のいずれか一項に記載の読み取り装置。
【請求項９】
前記光学処理ユニットおよび前記磁気光学基板内の前記構成要素のうちの少なくともいくつかは、互いに対して固定された空間関係を有する、請求項４〜８のいずれか一項に記載の読み取り装置。
【請求項１０】
前記第２の読み取り素子は、バーコードスキャナ、無線周波識別タグリーダ、文字認識リーダ、光学イメージ捕捉システム、ガウスメータ、磁力計、蛍光メータ、残留メータ、およびトランスポンダからなる群から選択される、請求項１〜９のいずれか一項に記載の読み取り装置。
【請求項１１】
前記第１の読み取り素子は、前記磁気光学基板を前記第１の識別特徴セットのエリア上に位置決めする係合要素を備える、請求項３〜１０のいずれか一項に記載の読み取り装置。
【請求項１２】
前記係合要素は前記磁気光学基板を実質的に囲む、請求項１１に記載の読み取り装置。
【請求項１３】
前記係合要素は本質的に、前記タグまたは物体の係合トラックを相補する形状であり、それにより、相互ロック手段を形成する、請求項１１または１２に記載の読み取り装置。
【請求項１４】
前記係合要素は、キャビティまたは溝として形成されるかまたは、前記係合要素は、突起として形成される、請求項１２または１３に記載の読み取り装置。
【請求項１５】
前記係合要素は、円形または多角形の断面を有する、請求項１１〜１４のいずれか一項に記載の読み取り装置。
【請求項１６】
少なくとも前記第１の読み取り素子は、前記識別されるタグまたは物体に接触した場合、前記識別されるタグまたは物体に整合するように構成される、請求項１〜１５のいずれか一項に記載の読み取り装置。
【請求項１７】
前記第１の読み取り素子は、前記第１の読み取り素子が前記識別されるタグまたは物体に接触した場合、少なくとも前記第１の読み取り素子が前記識別されるタグまたは物体に整合するのに役立つ整合要素を備える、請求項１６に記載の読み取り装置。
【請求項１８】
前記整合要素は、バネ、スポンジ、吸引システム、油圧システム、または空気システムからなる群から選択される少なくとも１つの部材を含む、請求項１７に記載の読み取り装置。
【請求項１９】
前記整合要素は、読み取り中、少なくとも前記第１の読み取り素子を読み取られるエリアに押し付けるように構成される、請求項１７または１８に記載の読み取り装置。
【請求項２０】
識別されるように構成されたタグまたは物体を識別する読み取り装置であって、
前記識別されるように構成されたタグまたは物体内に配置された磁気特徴および光学特徴の両方を読み取る読み取り素子を備え、
前記読み取り素子は、少なくとも１つの光学処理ユニットおよび少なくとも１つの磁気光学基板を備え、
前記読み取り素子は、前記識別されるように構成されたタグまたは物体上の光学特徴および／または位置合わせマークを光学的に直接読み取るための少なくとも１つの開口部を備える、読み取り装置。
【請求項２１】
識別されるように構成されたタグまたは物体を識別する方法であって、読み取り素子を使用して磁気特徴および光学特徴の両方を読み取ることを含み、前記読み取り素子は、少なくとも１つの光学処理ユニットおよび少なくとも１つの磁気光学基板を備え、前記読み取り素子は、前記識別されるように構成されたタグまたは物体上の前記光学特徴を光学的に直接読み取るための少なくとも１つの開口部を備える、方法。
【請求項２２】
前記磁気特徴は、前記識別されるタグまたは物体内に配置された第１の識別特徴セットを含む、請求項２１に記載の方法。
【請求項２３】
前記識別されるタグまたは物体内に配置された前記第１の識別特徴セットから信号を生成することを含む、請求項２２に記載の方法。
【請求項２４】
前記第１の識別特徴セットは、前記タグまたは物体の識別層内に含まれる無秩序に配置された磁性粒子または磁化可能粒子を含む、請求項２２または２３に記載の方法。
【請求項２５】
識別されるように構成されたタグまたは物体を識別する方法であって、前記識別されるように構成されたタグまたは物体内に配置された第１の識別特徴セットのみの磁気光学読み取りから第１の信号を生成することを含み、第１の識別特徴セットは、前記タグまたは物体の識別層内に含まれる無秩序に配置された磁性粒子または磁化可能粒子を含み、
したがって、前記第１の識別特徴セットの読み取りから生成される前記第１の信号は、前記タグまたは物体を識別する第１の署名の導出に使用される、方法。
【請求項２６】
識別されるように構成されたタグまたは物体を識別する方法であって、
前記識別されるように構成されたタグまたは物体内に配置された第１の識別情報セットの磁気光学読み取りから、第１の信号を生成すること、
前記識別されるように構成されたタグまたは物体内に配置された第２の識別情報セットの読み取りから、第２の信号を生成すること
を含み、
前記第１の識別特徴セットから生成される前記第１の信号および前記第２の識別特徴セットから生成される前記第２の信号は、独立して使用されて、前記タグまたは物体を識別する第１の署名および第２の署名が導出される、方法。
【手続補正書】
【提出日】平成24年1月25日(2012.1.25)
【手続補正１】
【補正対象書類名】特許請求の範囲
【補正対象項目名】全文
【補正方法】変更
【補正の内容】
【特許請求の範囲】
【請求項１】
（a）腫瘍の腫瘍細胞が変異p53遺伝子を有するかどうかを決定する工程、および
（b）前記腫瘍の腫瘍細胞が、正常p53発現非腫瘍細胞中で発現するより高いレベルでp53タンパク質を発現するかどうかを決定する工程
を含む、腫瘍を有するヒト被検体のためのp53遺伝子療法への不良な応答を予測するインビトロの方法であって、
該腫瘍細胞が、正常p53発現正常細胞によって発現されるより高いレベルで変異p53タンパク質を発現することが認められる場合は、該療法に対する不良な応答の指標である、前記方法。
【請求項２】
工程（b）が、ELISA、イムノアッセイ、ラジオイムノアッセイ（RIA）、イムノラジオメトリックアッセイ、蛍光イムノアッセイ、化学発光アッセイ、生物発光アッセイ、ゲル電気泳動法、ウエスタンブロット分析またはインサイチュー・ハイブリダイゼーションアッセイを含む、請求項1記載の方法。
【請求項３】
工程（a）が、p53転写産物の増幅、インサイチュー・ハイブリダイゼーション、ノーザンブロッティングまたはヌクレアーゼ保護を含む、請求項1記載の方法。
【請求項４】
工程（a）が、シーケンシング、遺伝子アレイまたは遺伝子チップを含む、請求項1記載の方法。
【請求項５】
腫瘍が、良性前立腺肥大、口腔白板症、大腸ポリープ、食道前癌性増殖または良性病変としてさらに規定される、良性腫瘍増殖である、請求項１記載の方法。
【請求項６】
腫瘍が、口腔癌、口腔咽頭癌、鼻咽頭癌、呼吸器癌、泌尿生殖器癌、消化管癌、中枢もしくは末梢神経系組織癌、内分泌もしくは神経内分泌癌もしくは造血系癌、神経膠腫、肉腫、癌腫、リンパ腫、黒色腫、線維腫、髄膜腫、脳腫瘍、口腔咽頭癌、鼻咽頭癌、腎臓癌、胆道癌、褐色細胞腫、膵島細胞癌、リー・フラウメニ（Li-Fraumeni）腫瘍、甲状腺癌、副甲状腺癌、下垂体部腫瘍、副腎腫瘍、骨肉腫、多発性神経内分泌I型およびII型腫瘍、乳癌、肺癌、頭頸部癌、前立腺癌、食道癌、気管癌、肝臓癌、膀胱癌、胃癌、膵臓癌、卵巣癌、子宮癌、子宮頸癌、睾丸癌、大腸癌、直腸癌または皮膚癌としてさらに定義される、癌である、請求項１記載の方法。
【請求項７】
（a）腫瘍サンプル中でp53タンパク質の量を検出するためのp53抗体又はプローブと;
（b）p53遺伝子又は転写産物の構造を決定するための複数のプローブと
を含む、腫瘍を有するヒト被験体のためのp53遺伝子療法に対する不良な応答を予測するインビトロの方法において使用するためのキット。
【手続補正書】
【提出日】平成24年1月17日(2012.1.17)
【手続補正１】
【補正対象書類名】特許請求の範囲
【補正対象項目名】全文
【補正方法】変更
【補正の内容】
【特許請求の範囲】
【請求項１】
使用者によって掛けられるように構成され、１つのブリッジ部と複数のつるを有する眼鏡フレームと、
前記眼鏡フレームに固定された１つの望遠鏡と、
を有する光学装置であって、
前記望遠鏡は、
前記眼鏡フレームの１つのつるに隣接する１つの対物レンズと、
１つの接眼レンズと、
前記使用者の目に拡大された像を提供するための折曲がった光路を画定する多重の光学面と、
を有し、
少なくとも１つの光学面が、前記つるに隣接する反射面であり、前記対物レンズと前記接眼レンズとの間の前記光路上に配置され、そして少なくとも部分的に、前記接眼レンズの後面に位置する１つの冠状面の後方に配置され、
前記光路は、前記冠状面を後方に向かって通過することにより前記望遠鏡に入射し、その後前記反射面により反射されて前記冠状面を前方に向かって再び通過し、そしてその後、前記接眼レンズの後面を後方に向かって通過する、
ことを特徴とする装置。
【請求項２】
前記望遠鏡は前記眼鏡フレームの本体の内部に包含される、ことを特徴とする請求項１に記載の装置。
【請求項３】
前記装置は、前記使用者の両方の目に拡大された像を提供するための、前記眼鏡フレームに固定された１対の望遠鏡を有する、ことを特徴とする請求項１に記載の装置。
【請求項４】
前記反射面が前記光路を鋭角で折り曲げることを特徴とする請求項１−３のいずれかに記載の装置。
【請求項５】
前記冠状面より後方の前記反射面は、第１の反射面を有し、前記望遠鏡は、前記光路を前記目に方向づけるため、前記第１の反射面と前記接眼レンズとの間に前記冠状面の前方に位置する第２の反射面を少なくとも有する、ことを特徴とする請求項４に記載の装置。
【請求項６】
前記望遠鏡は、１つのアミシ・ルーフプリズムを有し、ここにおいて前記第２の反射面は、前記アミシ・ルーフプリズムのルーフ面を有する、ことを特徴とする請求項５に記載の装置。
【請求項７】
前記望遠鏡は、ケプラー型望遠鏡を有する、ことを特徴とする請求項１−３のいずれかに記載の装置。
【請求項８】
前記眼鏡フレーム内の第１の領域にある１つの眼鏡レンズを有し、一方前記望遠鏡は前記眼鏡フレーム内の第２の領域に固定され、それにより前記使用者が前記眼鏡フレームを装着時に、選択的に前記眼鏡レンズおよび前記望遠鏡を通して対象を見ることが出来る、ことを特徴とする請求項１−３のいずれかに記載の装置。
【請求項９】
前記第１の領域は前記眼鏡フレームの下方領域であり、一方前記第２の領域は前記眼鏡フレームの上方領域である、ことを特徴とする請求項８に記載の装置。
【請求項１０】
前記眼鏡レンズは前記使用者に屈折による視覚補正を提供するように選択される、ことを特徴とする請求項８に記載の装置。
【請求項１１】
少なくとも１つの前記光学面は、少なくとも部分的に、前記目の前面に位置する更なる冠状面より後方に配置される、ことを特徴とする請求項１−３のいずれかに記載の装置。
【請求項１２】
１つの対物レンズと、１つの接眼レンズと、１つの反射面を有し折れ曲がった光路を画定する多重の光学面と、を有する１つの望遠鏡を提供するステップと、
前記反射面は前記光路上で前記対物レンズと前記接眼レンズの間に配置され、
使用者が前記眼鏡フレームを掛けるとき、前記望遠鏡が拡大された像を前記使用者の目に提供するため、前記望遠鏡を眼鏡フレームに固定するステップと、
前記眼鏡フレームは１つのブリッジ部と複数のつるを有し、前記フレームの１つのつるに隣接する前記対物レンズと前記反射面を有し、
を有する、拡大の方法であって、
少なくとも前記反射面の１つが、少なくとも部分的に、前記接眼レンズの後方面に位置する１つの冠状面より後方に配置され、
前記光路は、前記冠状面を後方に向かって通過することにより前記望遠鏡に入射し、その後前記反射面により反射されて前記冠状面を前方に向かって再び通過し、そしてその後、前記接眼レンズの後面を後方に向かって通過する、
ことを特徴とする方法。
【請求項１３】
前記望遠鏡を固定するステップは、前記望遠鏡を前記眼鏡フレームの本体の中に包含するステップを有する、ことを特徴とする請求項１２に記載の方法。
【請求項１４】
前記望遠鏡を固定するステップは、拡大された像を前記使用者の両方の目に提供するため、１対の望遠鏡を前記眼鏡フレームに固定するステップを有する、ことを特徴とする請求項１２に記載の方法。
【請求項１５】
前記反射面が前記光路を鋭角で折り曲げることを特徴とする請求項１２−１４のいずれかに記載の方法。
【請求項１６】
前記冠状面より後方の前記反射面は、第１の反射面を有し、前記望遠鏡は、前記光路を前記目に方向づけるため、前記第１の反射面と前記接眼レンズとの間に前記冠状面の前方に位置する第２の反射面を少なくとも有する、ことを特徴とする請求項１５に記載の方法。
【請求項１７】
前記望遠鏡は、１つのアミシ・ルーフプリズムを有し、ここにおいて前記第２の反射面は、前記アミシ・ルーフプリズムのルーフ面を有する、ことを特徴とする請求項１６に記載の方法。
【請求項１８】
前記望遠鏡は、ケプラー型望遠鏡を有する、ことを特徴とする請求項１２−１４のいずれかに記載の方法。
【請求項１９】
前記眼鏡フレーム内の第１の領域に１つの眼鏡レンズを搭載するステップを有し、一方前記望遠鏡は前記眼鏡フレーム内の第２の領域に固定され、それにより前記使用者が前記眼鏡フレームを装着時に、選択的に前記眼鏡レンズおよび前記望遠鏡を通して対象を見ることが出来る、ことを特徴とする請求項１２−１４のいずれかに記載の方法。
【請求項２０】
前記第１の領域は前記眼鏡フレームの下方領域であり、一方前記第２の領域は前記眼鏡フレームの上方領域である、ことを特徴とする請求項１９に記載の方法。
【請求項２１】
前記眼鏡レンズは前記使用者に屈折による視覚補正を提供するように選択される、ことを特徴とする請求項１９に記載の方法。
【請求項２２】
少なくとも１つの前記光学面は、少なくとも部分的に、前記目の前面に位置する更なる冠状面より後方に配置される、ことを特徴とする請求項１２−１４のいずれかに記載の方法。
【手続補正書】
【提出日】平成24年1月13日(2012.1.13)
【手続補正１】
【補正対象書類名】特許請求の範囲
【補正対象項目名】全文
【補正方法】変更
【補正の内容】
【特許請求の範囲】
【請求項１】
繰り返される点加算及び点２倍算により楕円曲線上の多数の点を右から左に計算する方法であって、
それぞれの点２倍算を、射影座標と少なくとも１つの更なる座標とを含む拡張された座標のセットを入力とすることで評価し、
それぞれの点加算を、拡張された座標のセットの制限されたセットを入力とすることで評価し、
当該方法は、次の点２倍算において使用するため、前記少なくとも１つの更なる座標をメモリに記憶するステップを含む、
ことを特徴とする方法。
【請求項２】
前記点２倍算の出力座標は、前記次の点２倍算の入力座標として使用される、
請求項１記載の方法。
【請求項３】
前記楕円曲線は、２及び３とは異なる特性によるWeierstrass式  EIK：Y2＝X3＋aXZ4＋bZ6により与えられ、a及びbは、前記楕円曲線の第一のパラメータ及び第二のパラメータである、
請求項１又は２記載の方法。
【請求項４】
前記点２倍算は、
座標T1，T2，T3の値、及びT4＝aT34に初期化される更なる座標T4の値を取得するステップと、前記aは、楕円曲線の第一パラメータであり、
中間の変数U＝T12，V＝T22，M＝3U＋T4，W＝V2及びS＝2（（T1+V）2−U−W）を計算するステップと、
T3，T4の新たな値T3＝2T2T3，T4＝16WT4を計算するステップと、
T1の新たな値T1＝M2−2Sを計算するステップと、
T2の新たな値T2＝M（S−T1）−8Wを計算するステップと、
少なくとも座標T1，T2，T3及びT4の値を出力するステップと、
を実行することで計算される請求項３記載の方法。
【請求項５】
前記スカラー乗算は、スカラーの非隣接形式（Non  Adjacent  Form）を使用して実行される、
請求項１乃至３の何れか記載の方法。
【請求項６】
前記スカラー乗算は、スカラーのバイナリ表現を使用して実行される、
請求項１乃至３の何れか記載の方法。
【請求項７】
前記点２倍算は、モディファイドヤコビアン座標を使用して実行され、前記点加算は、ヤコビアン座標を使用して実行される、
請求項１乃至６の何れか記載の方法。
【請求項８】
楕円曲線上の多数の点を右から左に計算する装置であって、
当該装置は、点２倍算及び点加算を行うために適合されるプロセッサを有し、
前記プロセッサは、射影座標と少なくとも１つの更なる座標とを含む拡張された座標のセットを入力とすしてそれぞれの点２倍算を評価し、拡張された座標のセットの制限されたセットを入力としてそれぞれの点加算を評価し、
当該装置は、次の点２倍算において使用するため、前記少なくとも１つの更なる座標を記憶するメモリを有する、
ことを特徴とする装置。
【請求項９】
コンピュータで実行されたとき、コンピュータに、繰り返される点加算及び点２倍算により楕円曲線上の多数の点を右から左に計算する方法を実行させるコンピュータプログラムであって、
前記方法は、
それぞれの点２倍算を、射影座標と少なくとも１つの更なる座標とを含む拡張された座標のセットを入力とすることで評価し、
それぞれの点加算を、拡張された座標のセットの制限されたセットを入力とすることで評価し、
次の点２倍算において使用するため、前記少なくとも１つの更なる座標をメモリに記憶する、
ことを特徴とするコンピュータプログラム。
【請求項１０】
コンピュータで実行されたとき、コンピュータに、繰り返される点加算及び点２倍算により楕円曲線上の多数の点を右から左に計算する方法を実行させるコンピュータプログラムを記憶したコンピュータ読み取り可能な記録媒体であって、
前記方法は、
それぞれの点２倍算を、射影座標と少なくとも１つの更なる座標とを含む拡張された座標のセットを入力とすることで評価し、
それぞれの点加算を、拡張された座標のセットの制限されたセットを入力とすることで評価し、
次の点２倍算において使用するため、前記少なくとも１つの更なる座標をメモリに記憶する、
ことを特徴とするコンピュータ読み取り可能な記録媒体。
【手続補正書】
【提出日】平成24年1月31日(2012.1.31)
【手続補正１】
【補正対象書類名】特許請求の範囲
【補正対象項目名】請求項６
【補正方法】変更
【補正の内容】
【請求項６】
ジカチオン種が、以下：
【化２】
2011512535.tif 000001
【化３】
2011512535.tif 000002
からなる群から選ばれる、請求項１に記載の方法。
【手続補正２】
【補正対象書類名】特許請求の範囲
【補正対象項目名】請求項１６
【補正方法】変更
【補正の内容】
【請求項１６】
以下：
【化４】
2011512535.tif 000003
からなる群から選ばれるジカチオン種と少なくとも１種の対アニオンとを含む少なくとも１種のジカチオン液体塩を含む固定相。
【手続補正３】
【補正対象書類名】特許請求の範囲
【補正対象項目名】請求項１９
【補正方法】変更
【補正の内容】
【請求項１９】
以下：
【化５】
2011512535.tif 000004
からなる群から選ばれるジカチオン種、少なくとも１種の固定相材料、及び少なくとも１種の対アニオンを含む少なくとも１種のジカチオン液体塩を含む、混合固定相。
【手続補正４】
【補正対象書類名】特許請求の範囲
【補正対象項目名】請求項２２
【補正方法】変更
【補正の内容】
【請求項２２】
少なくとも１種のアニオンをＥＳＩ−ＭＳにより検出する方法であって、以下：
【化６】
2011512535.tif 000005
からなる群から選ばれるジカチオン種と少なくとも１種の対アニオンとを含む少なくとも１種のジカチオン液体塩を使用することを含む方法。
【手続補正５】
【補正対象書類名】明細書
【補正対象項目名】０１２１
【補正方法】変更
【補正の内容】
【０１２１】
【化６】
2011512535.tif 000006
【手続補正６】
【補正対象書類名】明細書
【補正対象項目名】０１２３
【補正方法】変更
【補正の内容】
【０１２３】
【化７】
2011512535.tif 000007
【手続補正７】
【補正対象書類名】明細書
【補正対象項目名】０１３１
【補正方法】変更
【補正の内容】
【０１３１】
【表１】
2011512535.tif 000008
【手続補正書】
【提出日】平成24年3月1日(2012.3.1)
【手続補正１】
【補正対象書類名】特許請求の範囲
【補正対象項目名】全文
【補正方法】変更
【補正の内容】
【特許請求の範囲】
【請求項１】
コールドショックタンパク質又はそのホモローグ、及びＤＮＡポリメラーゼを含む、ＤＮＡ合成用の組成物。
【請求項２】
コールドショックタンパク質はＣｓｐＡ又はそのホモローグを含む、請求項１に記載の組成物。
【請求項３】
ＣｓｐＡ又はそのホモローグは大腸菌由来である、請求項１に記載の組成物。
【請求項４】
少なくとも１つのさらなるＤＮＡポリメラーゼをさらに含む、請求項１に記載の組成物。
【請求項５】
少なくとも１つのＤＮＡポリメラーゼは３’→５’エキソヌクレアーゼ活性を有し、且つ少なくとも１つのＤＮＡポリメラーゼは３’→５’エキソヌクレアーゼ活性を実質的に有しない、請求項４に記載の組成物。
【請求項６】
少なくとも１種のデオキシリボヌクレオチド三リン酸をさらに含む、請求項１に記載の組成物。
【請求項７】
反応緩衝液をさらに含む、請求項６に記載の組成物。
【請求項８】
組成物２５μＬ当たり０．５μｇ超のＣｓｐＡを含む、請求項２に記載の組成物。
【請求項９】
ＤＮＡを合成する方法であって、
Ａ）コールドショックタンパク質、ＤＮＡポリメラーゼ、少なくとも１種のプライマー、少なくとも１種のデオキシリボヌクレオチド三リン酸、及びＤＮＡを含む混合物を調製する工程、並びに
Ｂ）工程Ａ）で調製した混合物をインキュベートする工程を含む、方法。
【請求項１０】
ＤＮＡの合成はＰＣＲによって行われる、請求項９に記載の方法。
【請求項１１】
室温に置いてある混合物を直接工程Ｂ）に供する、請求項１０に記載の方法。
【請求項１２】
ＤＮＡ合成用のキットであって、
Ａ）コールドショックタンパク質、
Ｂ）ＤＮＡポリメラーゼ、プライマー、及びデオキシリボヌクレオチドから成る群から選択される少なくとも１つのコンポーネント、並びに
Ｃ）反応緩衝液を含む、キット。
【請求項１３】
各々のコンポーネントは個別に存在する、請求項１２に記載のキット。
【請求項１４】
少なくとも２つのコンポーネントが組み合わせてある、請求項１２に記載のキット。
【請求項１５】
逆転写反応用の組成物であって、コールドショックタンパク質又はそのホモローグ、及び逆転写酵素を含む、組成物。
【請求項１６】
コールドショックタンパク質はＣｓｐＡ又はそのホモローグである、請求項１５に記載の組成物。
【請求項１７】
ＣｓｐＡ又はそのホモローグは、大腸菌由来ＣｓｐＡである、請求項１６に記載の組成物。
【請求項１８】
逆転写酵素はモロニーマウス白血病ウイルス由来逆転写酵素、若しくはトリ骨髄芽球症ウイルス由来逆転写酵素、又はそれらの組み合わせである、請求項１５に記載の組成物。
【請求項１９】
少なくとも１種のデオキシリボヌクレオチド三リン酸をさらに含む、請求項１５に記載の組成物。
【請求項２０】
反応緩衝液をさらに含む、請求項１９に記載の組成物。
【請求項２１】
組成物２０μＬ当たり約０．５μｇ〜約２０μｇのＣｓｐＡを含む、請求項１６に記載の組成物。
【請求項２２】
オリゴ（ｄＴ）プライマー、若しくはランダムな配列を有するオリゴヌクレオチドプライマー、又はそれらの組み合わせをさらに含む、請求項１９に記載の組成物。
【請求項２３】
ｃＤＮＡを合成する方法であって、
Ａ）コールドショックタンパク質、逆転写酵素、少なくとも１種のプライマー、少なくとも１種のデオキシリボヌクレオチド三リン酸、及びＲＮＡを含む混合物を調製する工程、並びに
Ｂ）工程Ａ）で調製した混合物をインキュベートする工程を含む、方法。
【請求項２４】
混合物を３０℃〜６５℃で５分〜１２０分間インキュベートする、請求項２３に記載の方法。
【請求項２５】
混合物を３７℃〜５０℃でインキュベートする、請求項２３に記載の方法。
【請求項２６】
逆転写反応用のキットであって、
Ａ）コールドショックタンパク質、
Ｂ）逆転写酵素、プライマー、及びデオキシリボヌクレオチド三リン酸から成る群から選択される少なくとも１つのコンポーネント、並びに
Ｃ）反応緩衝液を含む、キット。
【請求項２７】
遺伝子増幅反応を行うための試薬をさらに含む、請求項２６に記載のキット。
【請求項２８】
試薬は耐熱性のＤＮＡポリメラーゼ、反応緩衝液、及び少なくとも１種のデオキシリボヌクレオチド三リン酸を含む、請求項２７に記載のキット。
【請求項２９】
各々のコンポーネントは個別に存在する、請求項２６に記載のキット。
【請求項３０】
少なくとも２つのコンポーネントが組み合わせてある、請求項２６に記載のキット。
【請求項３１】
エンドリボヌクレアーゼ切断部位の同定用の組成物であって、
Ａ）コールドショックタンパク質、並びに
Ｂ）ＲＮＡ基質及びエンドリボヌクレアーゼから成る群から選択される少なくとも１つのコンポーネントを含む、組成物。
【請求項３２】
コールドショックタンパク質及びＲＮＡ基質を含む、請求項３１に記載の組成物。
【請求項３３】
反応緩衝液をさらに含む、請求項３１に記載の組成物。
【請求項３４】
エンドリボヌクレアーゼ切断部位を同定する方法であって、
Ａ）コールドショックタンパク質、ＲＮＡ基質、及びエンドリボヌクレアーゼを含む混合物を調製する工程、並びに
Ｂ）工程Ａ）の混合物をインキュベートする工程を含む、方法。
【請求項３５】
混合物を電気泳動によって解析する工程をさらに含む、請求項３４に記載の方法。
【請求項３６】
エンドリボヌクレアーゼ切断部位の同定用のキットであって、コールドショックタンパク質及びＲＮＡ基質を含む、キット。
【請求項３７】
反応緩衝液をさらに含む、請求項３６に記載のキット。
【請求項３８】
コールドショックタンパク質及びＲＮＡ基質は個別に存在する、請求項３６に記載のキット。
【請求項３９】
コールドショックタンパク質及びＲＮＡ基質は組み合わせてある、請求項３６に記載のキット。
【手続補正書】
【提出日】平成24年3月5日(2012.3.5)
【手続補正１】
【補正対象書類名】特許請求の範囲
【補正対象項目名】全文
【補正方法】変更
【補正の内容】
【特許請求の範囲】
【請求項１】
流動性のマス、特に流動性のカカオ含有またはチョコレート状の油脂マスを精錬するための方法において、当該方法が、以下のステップ：
Ｓ１）流動性のマスを、ガスを含有している空間範囲内に配置されている分量化部材にまで運動させ；
Ｓ２）運動させられた流動性のマスを、前記分量化部材によって個々のマス分量に分量化し、該マス分量を、ガス含有の空間範囲に通して運動させ；
Ｓ３）前記空間範囲を通って運動させられたマスを、前記空間範囲に隣接した吹当て面に衝突させて、マスが、少なくとも重力の作用を受けて前記吹当て面に沿って流れるようにし；
Ｓ４）前記吹当て面に沿って流れた、精錬されたマスを１つの捕集点に合流させる、
より成るステップを有しており、
分量化部材が１つのノズルまたは並列接続された多数のノズルを有していて、前記単独のノズルに通してマスを運動させることによって、または前記多数のノズルに通してマスを並列に運動させることによってマスの分量化を行うことを特徴とする、流動性のマスを精錬するための方法。
【請求項２】
前記単独のノズルもしくは前記多数のノズルが多成分ノズルであって、該多成分ノズルに通して、精錬したい流動性のマスと一緒にさらに少なくとも１種の別の物質を通流案内して、マスと混合させる、請求項１記載の方法。
【請求項３】
マスの分量化を、分量化部材の振動および／またはマスの振動によって行うか、もしくは助成する、請求項１または２記載の方法。
【請求項４】
マスを、マス供給管路またはマス導出管路または空間範囲（４）に設けられた少なくとも１つの剪断エレメントによって運動させ、特にポンプ輸送する、請求項１から３までのいずれか１項記載の方法。
【請求項５】
特に請求項１から４までのいずれか１項記載の方法を実施するための、流動性のマスを精錬するための装置において、該装置に；
−運動させられた流動性のマスを個々のマス分量に分量化し、かつ運動させられたマス分量を、ガス含有の空間範囲（４）内へ送出するための、ガス含有の空間範囲（４）内に設けられた分量化部材（２）が設けられており、
−空間範囲（４）に通して運動させられたマスを衝突させるための、前記空間範囲（４）に隣接した吹当て面（８）が設けられており、マスが、少なくとも重力の作用を受けて前記吹当て面（８）に沿って流れるようになっており、
−前記吹当て面に沿って流れた、精錬されたマスを、１つの捕集点（１２）に合流させるための捕集部材（１０）が設けられており、
−分量化部材が１つのノズルまたは並列接続された多数のノズルを有しており、該単独のノズルまたは該多数のノズルを通って、マスが分量化のために通流運動可能である、
ことを特徴とする、流動性のマスを精錬するための装置。
【請求項６】
前記単独のノズルもしくは前記多数のノズルが、多成分ノズルである、請求項５記載の装置。
【請求項７】
分量化部材が、該分量化部材を振動させるための振動部材を有している、請求項５または６記載の装置。
【請求項８】
流動性のペースト状のマスを精錬するための装置において、該装置に；
−その表面の少なくとも部分範囲に遠心投射面（２ａ）を有する遠心投射部材（２）が設けられており、該遠心投射部材（２）が、ガスで充填可能な空間範囲（４）内に配置されており、しかも該遠心投射部材（２）は、遠心投射面（２ａ）が、その運動の少なくとも一部の間、値および／または方向の点で可変の速度を有する加速された運動を実施するように運動可能であり；
−精錬したいマスを、運動可能な遠心投射部材（２）の遠心投射面（２ａ）へ向かって搬送するための手段（６）が設けられており；
−空間範囲（４）に隣接した吹当て面（８）が設けられており、該吹当て面（８）が、空間範囲（４）に通して投射されたマスを、該マスが少なくとも重力の作用下に前記吹当て面（８）に沿って流れるように衝突させるために働き；
−前記吹当て面（８）に沿って流れた、精錬されたマスを、１つの捕集点（１２）に合流させるための手段（１０）が設けられており、
−空間範囲（４）内でのガス運動のために、少なくとも１つの構造エレメント（２１）、特に羽根車が配置されている、
ことを特徴とする、流動性のマスを精錬するための装置。
【請求項９】
遠心投射部材が、鉛直な回転軸線を中心にして回転可能に支承されており、遠心投射部材が、特にディスク状または皿状の形成体であり、かつ／または遠心投射面が、特に遠心投射部材の上側および／または下側に設けられている、請求項８記載の装置。
【請求項１０】
マスを近付けるための手段が、マス供給管路であり、該マス供給管路の開口部が、遠心投射面の近傍に位置していて、かつ／または遠心投射面に向けられており、特に前記マス供給管路が、中空軸として形成されており、該中空軸が、遠心投射部材に相対回動不能に結合されている、請求項８または９記載の装置。
【請求項１１】
遠心投射部材が、ばね弾性的に支承されたスイングエレメントである、請求項８または１０記載の装置。
【請求項１２】
マス供給管路および／またはマス導出管路および／または空間範囲（４）に剪断エレメントが配置されており、前記剪断エレメントが、特に少なくとも１つのロータと少なくとも１つのステータとから成っている、請求項８から１１までのいずれか１項記載の装置。
【請求項１３】
空間範囲に円筒体、特に円錐状の円筒体および／または少なくとも１つの中空円筒体が配置されており、前記円筒体が、特に空間範囲内で、該円筒体の外面と吹当て面との間のギャップを形成している、請求項８から１２までのいずれか１項記載の装置。
【手続補正書】
【提出日】平成23年12月22日(2011.12.22)
【手続補正１】
【補正対象書類名】特許請求の範囲
【補正対象項目名】全文
【補正方法】変更
【補正の内容】
【特許請求の範囲】
【請求項１】
第１の主面であって第２の主面にほぼ反対の関係にあり、共通の周面が前記第１及び第２の主面を結合する状態にある第１の主面を有する機械的に単一のスラブと、
該スラブに形成された複数の穴又は内腔であってそれぞれが少なくとも一方の前記主面に関して、軸線及び幾何断面によって方向付けられ、配置が決められまた密度を有する複数の穴又は内腔と、
前記コアの固有の断熱特性に関する伝熱抵抗を向上するための熱貫流緩和手段とを含む、弾性材料のコア。
【請求項２】
前記熱貫流緩和手段は前記スラブの処理を含む、請求項１に記載の弾性コア。
【請求項３】
前記熱貫流緩和手段は、傾斜開放又は傾斜閉塞の穴又は内腔を形成すべく少なくともいくつかの前記穴又は内腔の軸線を方向付けることを含む、請求項１又は２に記載の弾性コア。
【請求項４】
前記熱貫流緩和手段は前記スラブへ付加される固有の材料を含む、請求項１ないし３のいずれか一項に記載の弾性コア。
【請求項５】
前記材料は、前記第１及び／又は第２の主面の障壁を含む、請求項４に記載の弾性コア。
【請求項６】
前記材料は、少なくともいくつかの穴又は内腔を塞ぐ栓要素を含む、請求項４に記載の弾性コア。
【請求項７】
前記熱貫流緩和手段は、前記コアの主面にほぼ直角な軸線を有する少なくともいくつかの穴又は内腔のための幾何学的な穴又は内腔を選択することを含み、前記少なくともいくつかの穴又は内腔は、それらの穴又は内腔の前記軸線にほぼ平行な方向への前記弾性コアの圧縮時に閉塞の穴又は内腔に変形するように考慮されている、請求項１ないし６のいずれか一項に記載の弾性コア。
【請求項８】
前記熱貫流緩和手段は、さらに、傾斜開放の穴又は内腔を形成するように少なくともいくつかの穴又は内腔の軸線を方向付けることを含む、請求項７に記載の弾性コア。
【請求項９】
ほぼ全ての穴又は内腔が傾斜開放の穴又は内腔として特徴づけられ、前記幾何学的な穴又は内腔の横断面及び/又は前記穴又は内腔のための前記軸線の方向付けは、前記スラブの少なくとも１つの主面によって設定された平面にほぼ直角な方向への前記弾性コアの圧縮時に、前記穴または内腔が閉塞の穴又は内腔に変形するように選択される、請求項３に記載の弾性コア。
【請求項１０】
ほぼ全ての穴又は内腔が傾斜閉塞の穴又は内腔として特徴づけられる、請求項３に記載の弾性コア。
【請求項１１】
前記機械的に単一のスラブは、第２のサブスラブと固定的に結合された少なくとも第１のサブスラブを含み、各サブスラブは複数の穴又は内腔を形成し、各穴又は内腔は、少なくとも１つの主面に関して軸線及び幾何学的な横断面により規定された１つの方向性を有し、前記複数の穴又は内腔はそれらの配置を規定しまたある密度を有し、前記第１のサブスラブの少なくともいくつかの穴又は内腔の軸線が前記第２のサブスラブの少なくともいくつかの穴又は内腔と同軸にならないように、前記２つのサブスラブが固定的に結合される少なくともそのときには、前記第１のサブスラブの前記穴又は内腔の配置は、前記第２のサブスラブの穴又は内腔とは異なる、請求項１ないし１０のいずれか一項に記載の弾性コア。
【請求項１２】
前記機械的に単一のスラブは、第２のサブスラブと固定的に結合された少なくとも第１のサブスラブを含み、各サブスラブは複数の穴又は内腔を形成し、各穴又は内腔は、少なくとも１つの主面に関して軸線及び幾何学的な横断面により規定された１つの方向性を有し、前記複数の穴又は内腔はそれらの配置を規定してある密度を有し、前記第１のサブスラブの穴又は内腔の配置は前記第２のサブスラブの穴又は内腔の配置から熱貫流緩和手段の材料によって実質的に分離されている、請求項１ないし１１のいずれか一項に記載の弾性コア。
【請求項１３】
前記熱貫流緩和手段の材料は熱障壁を含む、請求項１２に記載の弾性コア。
【請求項１４】
さらに、前記弾性コアを実質的に覆うように取り囲む不浸透性シート材料を含み、それによって不浸透性の覆いを形成する、前記請求項１ないし１３のいずれか一項に記載の弾性コア。
【請求項１５】
さらに、前記弾性コアと環境との間に選択的に流路を形成する弁を含む、請求項１４に記載の弾性コア。
【手続補正書】
【提出日】平成24年3月9日(2012.3.9)
【手続補正１】
【補正対象書類名】特許請求の範囲
【補正対象項目名】全文
【補正方法】変更
【補正の内容】
【特許請求の範囲】
【請求項１】
第２の材料のウェブ上への第１の材料のパッチの離間させた付加のための装置であって、
第１の材料のウェブが導入される時に該第１の材料の該ウェブを一定速度で駆動するように配列された第１の材料のウェブを締め付けるための締め付け手段を含む第１の材料のウェブを導入するための手段と、
前記締め付け手段の下流の前記第１の材料のウェブを繰返し加速するためのカムと、
前記第１の材料の前記ウェブに接着剤を付加するための接着剤アプリケータと、
前記第１の材料の前記接着されたウェブを切断して該第１の材料の接着パッチを形成するための少なくとも１つのカッターブレードを含むカッターと、
第２の材料のウェブを導入するための手段と、
前記第１の材料の前記接着パッチを前記第２の材料の前記ウェブに付加するための転写ドラムと、
を含むことを特徴とする装置。
【請求項２】
喫煙物品の製造に使用するためのものであり、
前記第１の材料は、熱伝導性材料であり、
前記第２の材料は、紙状材料である、
ことを特徴とする請求項１に記載の装置。
【請求項３】
前記接着剤アプリケータは、離間した接着区域を前記第１の材料の前記ウェブに付加するように配列されることを特徴とする請求項１に記載の装置。
【請求項４】
前記離間した熱伝導性パッチを有する紙状材料のウェブを喫煙物品完成品内の構成要素に固定するために該紙状材料の該ウェブに接着剤を付加するための第２の接着剤アプリケータを更に含むことを特徴とする請求項２に記載の装置。
【請求項５】
前記締め付け手段は、それが、前記紙状材料のウェブ上の熱伝導性パッチ間の間隔に対する各熱伝導性パッチの長さの比率に依存する速度で導入される時に、前記熱伝導性材料のウェブを駆動するように配列されることを特徴とする請求項２に記載の装置。
【請求項６】
前記第２の材料の前記ウェブを穿孔するための穿孔手段を更に含むことを特徴とする請求項１に記載の装置。
【請求項７】
喫煙物品完成品の周方向に対応する方向に前記第２の材料の前記ウェブを穿孔するための穿孔手段を更に含むことを特徴とする請求項２に記載の装置。
【請求項８】
喫煙物品完成品の縦方向に対応する方向に前記第２の材料の前記ウェブを穿孔するための穿孔手段を更に含むことを特徴とする請求項２に記載の装置。
【請求項９】
第３の材料のウェブが導入される時に一定速度で該第３の材料の該ウェブを駆動するように配列された第３の材料のウェブを締め付けるための更に別の締め付け手段を含む第３の材料のウェブを導入するための手段と、
前記第３の材料の前記ウェブに接着剤を付加するための更に別の接着剤アプリケータと、
前記第３の材料の接着パッチを形成するために該第３の材料の前記接着されたウェブを切断するための少なくとも１つのカッターブレードを含む更に別のカッターと、
前記第２の材料の前記ウェブに前記第３の材料の前記接着パッチを付加するための更に別の転写ドラムと、
を更に含むことを特徴とする請求項１から請求項８のいずれか１項に記載の装置。
【請求項１０】
喫煙物品の製造に使用するための紙状材料のウェブ上への熱伝導性パッチの離間させた付加のための装置であって、
熱伝導性材料のウェブが導入される時に一定速度で該熱伝導性材料の該ウェブを駆動するように配列された熱伝導性材料のウェブを締め付けるための締め付け手段を含む熱伝導性材料のウェブを導入するための手段と、
前記締め付け手段の下流の前記熱伝導性材料のウェブを繰返し加速するためのカムと、
前記熱伝導性材料のウェブに接着剤を付加するための接着剤アプリケータと、
熱伝導性材料の前記接着されたウェブを切断して熱伝導性材料の接着パッチを形成するためのカッターと、
紙状材料のウェブを導入するための手段と、
前記紙状材料のウェブに前記熱伝導性材料の接着パッチを付加するための転写ドラムと、
を含むことを特徴とする装置。
【請求項１１】
第２の材料のウェブ上への第１の材料のパッチの離間させた付加のための方法であって、
第１の材料のウェブが導入される時に一定速度で該第１の材料の該ウェブを駆動するように配列された第１の材料のウェブを締め付けるための締め付け手段を通じて第１の材料のウェブを導入する段階と、
カムによって、前記締め付け手段の下流の前記第１の材料のウェブを繰返し加速する段階と、
前記第１の材料の前記ウェブに接着剤を付加する段階と、
前記第１の材料の前記接着されたウェブを切断して該第１の材料の接着パッチを形成する段階と、
第２の材料のウェブを導入する段階と、
前記第２の材料の前記ウェブに前記第１の材料の前記接着パッチを付加する段階と、
を含むことを特徴とする方法。
【請求項１２】
喫煙物品の製造に使用するための紙状材料のウェブ上への熱伝導性パッチの離間させた付加のための方法であって、
熱伝導性材料のウェブが導入される時に一定速度で該熱伝導性材料の該ウェブを駆動するように配列された熱伝導性材料のウェブを締め付けるための締め付け手段を通じて熱伝導性材料のウェブを導入する段階と、
カムによって、前記締め付け手段の下流の前記熱伝導性材料のウェブを繰返し加速する段階と、
前記熱伝導性材料のウェブに接着剤を付加する段階と、
熱伝導性材料の前記接着されたウェブを切断して熱伝導性材料の接着パッチを形成する段階と、
紙状材料のウェブを導入する段階と、
前記紙状材料のウェブに熱伝導性材料の前記接着パッチを付加する段階と、
を含むことを特徴とする方法。
【手続補正書】
【提出日】平成24年2月20日(2012.2.20)
【手続補正１】
【補正対象書類名】特許請求の範囲
【補正対象項目名】全文
【補正方法】変更
【補正の内容】
【特許請求の範囲】
【請求項１】
生物学的増殖培地に関連する識別要素を読み取ることと、
前記識別要素に基づいて前記生物学的増殖培地に関連し、前記生物学的増殖培地の製造時に前記生物学的増殖培地から測定される１つ以上の製造変数を含む製造情報を識別することと、
前記生物学的増殖培地の製造時に前記生物学的増殖培地から測定される前記製造変数に基づいて、前記生物学的増殖培地の処理に関連する１つ以上の処理パラメータを調整することであって、前記製造変数が、前記生物学的増殖培地の製造時に前記生物学的増殖培地から測定される１つ以上の分光法測定値を含むことと、
前記処理パラメータに基づいて、自動システムで前記生物学的増殖培地を処理することと、を含む方法。
【請求項２】
生物学的増殖培地に関連する識別要を読み取る識別要素読取器と、
前記識別要素に基づいて、前記生物学的増殖培地に関連し、かつ前記生物学的増殖培地の製造時に前記生物学的増殖培地から測定される１つ以上の製造変数を含む製造情報を識別するコンピュータであって、前記コンピュータが、前記生物学的増殖培地の製造時に前記生物学的増殖培地から測定される前記製造変数に基づいて、前記生物学的増殖培地の処理に関連する１つ以上の処理パラメータを調整する、コンピュータと、
前記生物学的増殖培地を処理する一つ以上の処理ユニットであって、前記一つ以上の処理ユニットが生物学的読取器を含むものと、を含み、
前記コンピュータが、前記生物学的読取器によって生成された画像に基づいて、前記生物学的増殖培地上に形成された生物学的作用物質をカウントし、
前記コンピュータが、前記生物学的増殖培地の製造時に前記生物学的増殖培地から測定される前記製造変数に基づいて、前記画像に関連する予想される明度を正規化するシステム。
【請求項３】
生物学的増殖培地に関連する識別要素を読み取る手段と、
前記識別要素に基づいて前記生物学的増殖培地に関連し、かつ前記生物学的増殖培地の製造時に前記生物学的増殖培地から測定される１つ以上の製造変数を含む製造情報を識別する手段と、
前記生物学的増殖培地の製造時に前記生物学的増殖培地から測定される前記製造変数に基づいて、前記生物学的増殖培地の処理に関連する１つ以上の処理パラメータを調整する手段と、
前記処理パラメータに基づいて、自動システムの中の前記生物学的増殖培地を処理する手段と、を含むシステム。
【手続補正書】
【提出日】平成24年3月7日(2012.3.7)
【手続補正１】
【補正対象書類名】特許請求の範囲
【補正対象項目名】全文
【補正方法】変更
【補正の内容】
【特許請求の範囲】
【請求項１】
養殖水産動物の飼育方法であって、
水を吸収させた、タンパク質および脂質を含む飼料ペレットを、前記動物が飼育されている水中に給餌する工程を含み、
前記ペレットが、バインダーとして、植物種子粉末を含むことを特徴とする方法。
【請求項２】
水産養殖飼料組成物の製造方法であって、
タンパク質を含む飼料ペレットに、水を吸収させる工程を含み、
前記ペレットが、バインダーとして、植物種子粉末を含むことを特徴とする方法。
【請求項３】
さらに、前記タンパク質を含む飼料ペレットに、脂質を吸収させる工程を含む、請求項２記載の方法。
【請求項４】
減圧して前記ペレットから空気を除去し、前記ペレットに水または水性液体を接触させることにより、前記ペレットに水を吸収させる請求項２または３記載の方法。
【請求項５】
前記植物種子粉末が、穀物または豆類の粉末である請求項１から４のいずれか一項に記載の方法。
【請求項６】
前記植物種子粉末が、小麦粉である請求項５記載の方法。
【請求項７】
前記植物種子粉末が、エンドウ粉である請求項５記載の方法。
【請求項８】
水を吸収させる前の前記ペレットのペレット固相密度が、３８０ｇ／Ｌ以上である請求項１から７のいずれか一項に記載の方法。
【請求項９】
前記ペレットが、水および脂質を除く全ペレット重量に対して、前記植物種子粉末を１〜２５重量％の範囲で含む請求項１から８のいずれか一項に記載の方法。
【請求項１０】
前記ペレットが、水を除く全ペレット重量に対して、前記植物種子粉末を１〜１８重量％の範囲で含む請求項１から８のいずれか一項に記載の方法。
【請求項１１】
前記ペレットが、１ｋｇあたり１〜２Ｌの水を吸収可能である請求項１から１０のいずれか一項に記載の方法。
【請求項１２】
さらに、バインダーとして植物種子粉末を含むタンパク質含有ペレットを含み、
前記ペレットのペレット固相密度が、３８０ｇ／Ｌ以上である水産養殖飼料組成物。
【請求項１３】
さらに、バインダーとして植物種子粉末を含むタンパク質含有ペレットを含み、前記植物種子粉末の含有量が、脂質および水の１〜２５重量％、または水以外の他のペレット成分の重量に対して、１〜１８重量％である水産養殖飼料組成物。
【請求項１４】
さらに、バインダーとして植物種子粉末を含むタンパク質含有ペレットを含み、分解前の前記ペレットが、１ｋｇあたり０．８〜７Ｌの淡水を吸収可能である水産養殖飼料組成物。
【請求項１５】
請求項１２から１４のいずれか二項または三項に記載の組成物。
【請求項１６】
分解前の前記ペレットが、１ｋｇあたり１〜２Ｌの淡水を吸収可能である請求項１４または１５に記載の組成物。
【手続補正書】
【提出日】平成24年3月9日(2012.3.9)
【手続補正１】
【補正対象書類名】特許請求の範囲
【補正対象項目名】全文
【補正方法】変更
【補正の内容】
【特許請求の範囲】
【請求項１】
（ｉ）生体物質を保持するための複数のウェル；及び
（ｉｉ）ボディーを配置するための少なくとも１つの整列孔；
を規定するボディー：
を含有してなる、マルチウェルプレート。
【請求項２】
少なくとも１つの整列孔がボディー上に非対称的に形成された第１及び第２の整列孔であり、そして第２整列孔が第１整列孔と間隔を空けてある、請求項１に記載のマルチウェルプレート。
【請求項３】
第１及び第２の整列孔がボディーの対向する側にあり、そして第１整列孔が細長い、請求項２に記載のマルチウェルプレート。
【請求項４】
ボディーが長方形の形状を有し、第１整列孔が第１短辺上に形成され、そして第２整列孔が第２短辺上に形成され、かつボディーが外周を有しており、第１整列孔が第２整列孔より外周に隣接している、請求項１〜３のいずれか一項に記載のマルチウェルプレート。
【請求項５】
生体物質を保持するための複数のウェル及び第１整列孔を規定するボディーを含有しているマルチウェルプレート；
マルチウェルプレートを支持するためのテーブル；
複数のチップ及びチップよりも相対的に長い整列ピンを有しているチップマニホールド；及び
チップマニホールドを動かして、チップマニホールドのチップをマルチウェルプレートの一部のウェルに整列させるために整列ピンを整列孔に挿入するための、ロボット部材：
を含有してなる、生体物質を自動スクリーニングする装置。
【請求項６】
チップマニホールドが第２整列ピンを含有し、そしてマルチウェルプレートが第２整列孔を形成して、整列ピンを整列孔に挿入したときにマルチウェルプレートの回転整列を設定できる、請求項５に記載の装置。
【請求項７】
（ｉ）プレート；
（ｉｉ）プレートに従属している少なくとも１つのチップ；
（ｉｉｉ）プレートに従属している第１整列ピン；及び
（ｉｖ）プレートに従属しており、第１整列ピンと対向している第２整列ピン：
を含有しているチップマニホールドを含有してなる、生体物質の自動スクリーニングの間に使用する装置。
【請求項８】
少なくとも１つのチップが、電極、ピペット、光誘導部材及びそれらの組み合わせよりなる群から選ばれる、請求項７に記載の装置。
【請求項９】
（ｉ）生体物質を保持するための複数のウェル；
（ｉｉ）第１整列孔；及び
（ｉｉｉ）第１整列孔と対向している第２整列孔
を規定しているボディー：
を含有しているマルチウェルプレート：を更に含有してなる、請求項７又は８に記載の装置。
【請求項１０】
それぞれのウェルが実質的に平らな底を有し、そして少なくとも１つのチップがバネで留められ且つ平らな底に接触するように下げられる、請求項９に記載の装置。
【請求項１１】
少なくとも１つのチップが：
外部電極接触を有する近接末端、及び遠位末端を有しており、第１内部を規定する外部電極；
実質的に第１内部にあり、第２内部を規定する電極スペーサー；
内部電極接触を有する近接末端、及び遠位末端を有しており、実質的に第２内部の中にある内部電極；
部分的に遠位末端の内部にあり、遠位部が表面に隣接したときに、表面と電極の間の空間が所定の大きさになるように、所定の大きさの遠位部を有しているチップ基底部：を包含し；そして
更に、電気接続のバイアス盤に従属しているそれぞれのチップに対して二叉のバイアスピンアセンブリを有している電気接続のバイアス盤を含有し、電気接続のバイアス盤の第１突起部が外部電極接触部をはめ込み、そして第２突起部が内部電極アセンブリをはめ込んで、電極と電気的に接触をして、それぞれのチップ遠位に弾性バイアスをかける、請求項７〜１０のいずれか一項に記載の装置。
【請求項１２】
外部電極がバンキング表面を形成してプレートに対する正常な位置を設定する、請求項１１に記載の装置。
【請求項１３】
整列ピンの整列孔との整列を促進して、チップマニホールドの少なくとも１つのチップをそれぞれのウェル内に下げるための、チップマニホールドに連結しているロボット部材を更に含有してなる、請求項７〜１２のいずれか一項に記載の装置。
【請求項１４】
工程：
整列孔の少なくとも１つがマルチウェルプレートの第１辺上に形成されていて、整列孔の少なくとも１つがマルチウェルプレートの第２辺上に形成されている、少なくとも２つの整列孔を提供すること；
整列ピンの少なくとも１つはチップマニホールドの第１側面と連結していて、整列ピンの少なくとも１つはチップマニホールドの第２側面と連結している、少なくとも２つの整列ピンを提供すること；
少なくとも２つの整列ピンを少なくとも２つの整列孔に挿入して、マルチウェルプレートをチップマニホールドに整列させること；及び
少なくとも２つの整列ピンの挿入後に、複数のチップを複数のウェル内へ誘導すること：
を含有してなる、チップマニホールドの複数のチップをマルチウェルプレートの複数のウェルと整列させる方法。
【請求項１５】
ウェルの数がチップの数の少なくとも２倍であり、マルチウェルプレートが第３及び第４の整列孔を有しており、そして更に、工程：
少なくとも２つの整列ピンを第３及び第４整列孔に挿入して、マルチウェルプレートをチップマニホールドと再整列させること；及び
少なくとも２つの整列ピンを再挿入した後、複数のチップを第２の複数のウェル内へ誘導すること；
を含有してなる、請求項１４に記載の方法。